(57)【特許請求の範囲】
【請求項１】
防水パン又は浴槽の外周に形成されたリブに取り付けられ、前記防水パン又は浴槽へ浴室の壁パネルを接続固定するのに用いるパネル固定金具であって、
一枚板からなり、
略Ｌ字状に屈曲された屈曲片が形成されている一端から順に他端へ向けて、リブ連結部、接続部、パネル連結部が形成されていて、
前記リブ連結部に、前記屈曲片とで間に前記リブを嵌め込むことが可能な爪状片と、前記リブに嵌め込んだことが視認可能な開口とが設けられている、
ことを特徴とするパネル固定金具。
【請求項２】
前記リブ連結部からの突出度が、前記屈曲片の先端よりも前記爪状片の方が大きい、
ことを特徴とする請求項１に記載のパネル固定金具。
【請求項３】
請求項１に記載のパネル固定金具と、このパネル固定金具を取り付ける目印が前記リブに形成されている防水パン又は浴槽とから構築される、
ことを特徴とする壁パネル浮き上がり防止構造。
【発明の詳細な説明】
【技術分野】
【０００１】
本発明は、浴室における壁パネルの簡易設置を実現するとともに、この壁パネルが設置後に浮き上がる事象を防止することが可能なパネル固定金具及び、壁パネル浮き上がり防止構造に関する。
【背景技術】
【０００２】
例えば、防水パン仕様の浴室において、壁パネルは、洗い場パン、浴槽パンなどと呼ばれる防水パンの外周に立設されている。従来、壁パネルの設置は、防水パンを載置する目的で建物床上に据え付けられている床材に支持部材を立設し、これに壁パネルを支持させることで行われてきた。しかし、支持部材の取り付け位置を間違える等により、この位置を修正する場合、すでに設置している防水パンまでを取り外して作業することが必要となって、作業性が悪い等の不都合があった。また、防水パンを使わない仕様の場合も、支持部材の取り付け位置の修正には、設置した浴槽自体を取り外して作業する必要があった。
【０００３】
このような問題に対し、下記特許文献１において、壁パネルを支持する支柱部材を、床支持部材に設けた矯正部材に取り付け、この矯正部材の位置調整を行うことにより、防水パンを設置した後であっても支柱部材の位置調整を可能とする浴室ユニットに係る発明が提案されている。具体的には、床支持部材の周縁を移動可能とした矯正部材を、支柱部材へ取り付ける取付部材として機能させることで、床支持部材から上方に突出している矯正部材の上端部で支持部材に接続し、これを床支持部材に固定する構成を提案している。
【先行技術文献】
【特許文献】
【０００４】
【特許文献１】特開２０１２−２０２０５３号公報
【発明の概要】
【発明が解決しようとする課題】
【０００５】
しかしながら、上記特許文献１で開示された発明における矯正部材は、第一矯正部材及び第二矯正部材の複数部材から構成されている。しかも、壁部材への固定のみならず、床支持部材への取り付けにもビス止めが必要になる等、作業性やコスト面で優位性が認められない。また、防水パン又は浴槽の外周に立設した壁パネルが浮き上がる等の問題が従来指摘されていたことから、これを確実に防止することができる壁パネルの設置構造が要請されている。
【０００６】
本発明は、上記実情に鑑み提案され、浴室における壁パネルの簡易設置をビス止め箇所を最小限にして実現するとともに、この壁パネルが防水パン又は浴槽から浮き上がる事象も防止することができるパネル固定金具及び、壁パネル浮き上がり防止構造を提供することを目的とする。
【課題を解決するための手段】
【０００７】
上記目的を達成するために、本発明は、防水パン又は浴槽の外周に形成されたリブに取り付けられ、前記防水パン又は浴槽へ浴室の壁パネルを接続固定するのに用いるパネル固定金具であって、一枚板からなり、略Ｌ字状に屈曲された屈曲片が形成されている一端から順に他端へ向けて、リブ連結部、接続部、パネル連結部が形成されていて、前記リブ連結部に、前記屈曲片とで間に前記リブを嵌め込むことが可能な爪状片が設けられていることを特徴とする。
【０００８】
また、本発明に係る壁パネル浮き上がり防止構造は、上記パネル固定金具と、このパネル固定金具を取り付ける目印が前記リブに形成されている防水パン又は浴槽とから構築されることを特徴とする。
【発明の効果】
【０００９】
本発明に係るパネル固定金具は、一枚板からなり、具体的には略Ｌ字状に屈曲された屈曲片が形成されている一端から他端へ向けて、リブ連結部、接続部、パネル連結部が順に形成された構成である。さらに、リブ連結部に、屈曲片とで間に、防水パン又は浴槽の外周に設けられているリブを嵌め込むことが可能な爪状片が設けられた構成である。したがって、本発明に係るパネル固定金具は、複数部材から構成されず、かつ、ビス止めをすることなく、屈曲片と爪状片との間にリブを嵌め込むという簡単な操作で防水パン又は浴槽に取り付け可能で、作業性及びコスト面に秀でた固定具を達成することができる。
【００１０】
また、本発明に係る壁パネル浮き上がり防止構造は、上記パネル固定金具と、このパネル固定金具を取り付ける目印がリブに形成されている防水パン又は浴槽とから構築される構成であるので、目印によって作業性及びコスト面に秀でた上記パネル固定金具のリブへの設置を、ますます容易なものとすることができる。
【００１１】
なお、本発明では、浴室への搬入前に防水パン又は浴槽の外周のリブにパネル固定金具を取り付けることができて、作業性の向上に寄与することができる。さらに、ビス止め作業が不要であるので、浴室に防水パン又は浴槽を搬入した後のクリアランスが制限られる場合にも、容易に防水パン又は浴槽の外周のリブにパネル固定金具を取り付けることができ、これによっても作業性の向上に寄与することができる。
【図面の簡単な説明】
【００１２】
【図１】本発明に係るパネル固定金具の概略形状を示す図であって、（ａ）は概略左側面図、（ｂ）は概略正面図である。
【図２】本発明に係るパネル固定金具を防水パンの外周へ取り付ける様子を説明する説明図である。
【図３】本発明に係るパネル固定金具を防水パンの外周へ取り付ける様子を更に詳細に説明する説明図であって、（ａ）は、取り付け始めの場面を説明する説明図、（ｂ）は、取り付け完了の場面を説明する説明図である。
【図４】本発明に係るパネル固定金具により防水パンの外周に壁パネルが立設されている様子を説明する説明図である。
【発明を実施するための形態】
【００１３】
以下、本発明に係るパネル固定金具及び、壁パネル浮き上がり防止構造に関し、図面を参照しながら一実施形態を例示して説明する。
【００１４】
本発明は、例えば、図２、図４等に示すように、防水パンＡの外周に形成されたリブＡ１に取り付けられ、防水パンＡの外周のリブＡ１の内側で、リブＡ１と防水パン本体との間に形成されている溝部Ａ２へ浴室の壁パネルＢを立設し、防水パンＡに壁パネルＢを接続固定するのに用いるパネル固定金具１である。
【００１５】
パネル固定金具１は、図１（ａ）、（ｂ）に示すように、一枚板からなる板状部材であって、一端に略Ｌ字状に屈曲された屈曲片１１が形成されている。この屈曲片１１から一枚板の他端へ向けて順に、リブ連結部１２、接続部１３、パネル連結部１４が形成されている。リブ連結部１２には、屈曲片１１とで間に防水パンＡのリブＡ１を嵌め込むことが可能な爪状片１２１が設けられている。また、リブ連結部１２には、リブＡ１を嵌め込んだことが外部から視認可能となる開口１２２が形成されている。
【００１６】
本発明において特に、図１（ａ）に示すように、リブＡ１を屈曲片１１と爪状片１２１との間に嵌め込むという目的があるので、屈曲片１１とリブ連結部１２とで形成される角度は９０度以下であることが好ましい。本実施形態において、その角度は９０度未満の鋭角（７５度）である。
【００１７】
また、図１（ａ）に示すように、爪状片１２１は、リブＡ１を屈曲片１１と爪状片１２１との間に嵌め込みやすくするために、リブ連結部１２からの突出度を屈曲片１１の先端よりも大とし、かつ、その先端を屈曲片１１側に９０度折り曲げて形成される構成とする。本構成により、後述するように、爪状片１２１をまずリブＡ１に引っ掛け、続いて、この爪状片１２１を支点にして屈曲片１１をリブＡ１の外側から嵌めるようにする操作をスムーズに行うことができる。なお、屈曲片１１及び爪状片１２１は、これらの間にリブＡ１を嵌め込むことが可能となる形状であればよく、本実施形態で説明する形状に限定されない。
【００１８】
接続部１３は、一枚板から塑性加工されて形成される塑性加工部を構成している。これによりパネル固定金具１は強度が向上している。パネル接続部１４には、壁パネルＢ及び、支柱材Ｃと共にビス止めされるための穴１４ａが形成されている。この支柱材Ｃは従来と同様、外側から壁パネルＢを支持する目的で設置される（図４参照）。
【００１９】
図２に示すように、本発明では、防水パンＡ外周のリブＡ１におけるパネル固定金具１が取り付けられる予定の箇所には、リブＡ１の形状を相違させる加工等を施すことにより、目印Ａ１１が形成されている。目印Ａ１１により、作業者によってパネル固定金具１のリブＡ１への設置位置が相違する等の不都合が発生することを防ぐことができる。また、パネル固定金具１のリブＡ１への設置を感覚的に行うことができて作業性が向上し、簡易設置が実現する。なお、目印Ａ１１は、リブＡ１の形状に加工を施すことに限られず、作業者によってパネル固定金具１のリブＡ１への設置位置が相違する等の不都合が解消されるのであれば適宜の手段で形成することができる。
【００２０】
本発明では、図３（ａ）、（ｂ）に示す手順で容易に、パネル固定金具１を防水パンＡの外周のリブＡ１へ取り付けることができる。
【００２１】
すなわち、図３（ａ）に示すように、爪状片１２１をまず防水パンＡの外周のリブＡ１の上部の目印Ａ１１された箇所へ引っ掛ける。続いて、この爪状片１２１を支点にして接続部１３又はパネル接続部１４をリブＡ１から離れる方向に押圧する操作によってリブＡ１の下部に屈曲片１１を係合させる。換言すれば、屈曲片１１と爪状片１２１とでリブＡ１を挟むのである。これにより、図３（ｂ）に示すように、屈曲片１１と爪状片１２１との間にリブＡ１をすっぽりと嵌め込ませることができる。このようにすることで、パネル固定金具１のリブＡ１への取り付けにビス止めが不要となる。
【００２２】
また、図４に示すように、防水パンＡの外周のリブＡ１の内側であって、リブＡ１と防水パン本体との間に形成されている溝部Ａ２（図２、図３もあわせて参照のこと。）へ浴室の壁パネルＢを立設し、防水パンＡに壁パネルＢを接続固定するには、パネル接続部１４に形成された穴１４ａを通じ、壁パネルＢ及び支柱材Ｃと共にパネル固定金具１をビス止めすることで達成される。
【００２３】
このとき、防水パンＡの溝部Ａ２にコーキーング材又は接着剤を付与することで、接続固定を強固にしたり、壁パネルＢ及び防水パンＡの隙間の気密性や防水性を高めたりすることができる。なお、上記説明で示した防水パンＡは、浴室から外部への漏水を防ぐ役割を果たす浴槽パン、洗い場パンのどちらも含めて指す用語である。すなわち、本発明に係るパネル固定金具１及び、これを用いた壁パネル浮き上がり防止構造は、浴槽パン、洗い場パンのどちらにも適用可能である。
【００２４】
したがって、本発明では、一枚板のパネル固定金具１に施した屈曲片１１、リブ連結部１２の爪状片１２１、接続部１３、パネル連結部１４の穴１４ａ等の各種の構造により、ビス止めを不要としてパネル固定金具１をリブＡ１へ容易に取り付けることができる。あわせて、最小限のビス止めによって壁パネルＢを、その浮き上がりを防止しながら、防水パンＡに接続固定することができる。また、パネル固定金具１を取り付けるリブＡ１に目印Ａ１１を形成したので、作業者によってパネル固定金具１のリブＡ１への設置位置が相違する等の不都合が解消される。
【００２５】
以上、本発明の実施形態を例示して詳述したが、本発明は、上記実施形態に限定されるものではない。そして、本発明は、特許請求の範囲に記載された事項を逸脱することがなければ、種々の設計変更を行うことが可能である。
【００２６】
例えば、パネル固定金具の材質は、金属製の板材に限定されない。金属製とする場合には、その用途（浴室に適用するということ）に鑑み、錆にくい材質を用いるか、防錆加工を施したパネル固定金具を用いることが好ましい。また、壁パネルを防水パンに接続固定するに際し、その浮き上がりを防止するという課題を解決可能であるならば、ビス止めに限られず、各種の接続固定手段を採用すればよい。
【００２７】
また、上記実施形態では、防水パンを使った仕様の浴室例におけるパネル固定金具の取り付けについて説明したが、本発明は、防水パンを使わない仕様の浴室に適用することも可能である。すなわち、浴槽の外周にリブを形成し、このリブを屈曲片と爪状片とで嵌め込んで、リブへパネル固定金具（本発明）を取り付けることにより、壁パネルを容易に接続固定することができる。この場合においても、壁パネルが設置後に浮き上がる問題は解消される。
【符号の説明】
【００２８】
１・・・パネル固定金具
１１・・屈曲片
１２・・リブ連結部
１２１・爪状片
１２２・開口
１３・・接続部
１４・・パネル連結部
１４ａ・穴
Ａ・・・防水パン
Ａ１・・リブ
Ａ１１・目印
Ａ２・・溝部
Ｂ・・・壁パネル
Ｃ・・・支持材
【図１】
0006517033.tif 000002
【図２】
0006517033.tif 000003
【図３】
0006517033.tif 000004
【図４】
0006517033.tif 000005